(57)【特許請求の範囲】
【請求項１】
躯体に固定されるフレーム部材および前記フレーム部材を覆う屋根板を備える屋根上に設置物を取り付ける構造であって、
前記屋根板上に載置され、前記設置物を支持する支持部材と、
前記支持部材を、前記屋根板よりも強度が高く設定された前記フレーム部材に固定する固定部と、を備え、
前記フレーム部材は、前記躯体を構成する梁が連続する方向に沿って、上方に突出して前記屋根板を支持する凸部と下方に凹む凹部とが交互に形成され、
前記支持部材は、
上下方向に延びる筒状部と前記筒状部の上部を閉塞する閉塞板部とを有する支柱部と、前記筒状部の下端部から外周側にフランジ状に張り出したベース部と、前記閉塞板部に形成され上方に向かって突出する設置物固定部と、を備え、前記ベース部が前記フレーム部材の隣接する凸部を跨がるように設置されて、前記固定部によって前記凸部上において前記フレーム部材に接合する屋根上における設置物の取付け構造。
【請求項２】
前記屋根は、前記屋根板上に、断熱層および防水層のうちの少なくとも一方を有する保護層を備え、
前記支持部材は、前記保護層に形成された貫通孔を通して上方に突出して設けられている請求項１に記載の屋根上における設置物の取付け構造。
【請求項３】
前記固定部は、前記屋根板に挿通されて前記支持部材と前記フレーム部材とを固定する挿通部材、または前記屋根板を介して前記支持部材と前記フレーム部材とを一体に溶接した溶接部である請求項１又は２記載の屋根上における設置物の取付け構造。
【請求項４】
前記固定部は、前記挿通部材であり、
前記挿通部材は、前記屋根板に外部から挿通される請求項３記載の屋根上における設置物の取付け構造。
【請求項５】
前記屋根板は、上面が平坦面状に形成されている請求項１〜４のいずれか一項に記載の屋根上における設置物の取付け構造。
【請求項６】
前記屋根板は、下方に向かって突出する補強リブを有し、
前記補強リブは、前記フレーム部材の前記凹部の内方に収容され、かつ前記凹部の底部よりも上方に間隔を空けて形成されている請求項５または６に記載の屋根上における設置物の取付け構造。
【請求項７】
躯体に固定されるフレーム部材および前記フレーム部材を覆う屋根板を備える屋根と、
前記屋根上に取り付けられる設置物と、を備え、
前記設置物が、請求項１〜６のいずれか１項に記載の取付け構造により取り付けられた前記支持部材上に支持されている設置物付き屋根。
【請求項８】
躯体に固定されるフレーム部材および前記フレーム部材を覆う屋根板を備える屋根上に設置物を取り付ける方法であって、
上下方向に延びる筒状部と前記筒状部の上部を閉塞する閉塞板部とを有する支柱部と、前記筒状部の下端部から外周側にフランジ状に張り出したベース部と、前記閉塞板部に形成され上方に向かって突出する設置物固定部と、を有し前記設置物を支持する支持部材を、前記屋根板よりも強度が高く設定され前記躯体を構成する梁が連続する方向に沿って、上方に突出して前記屋根板を支持する凸部と下方に凹む凹部とが交互に形成された前記フレーム部材の隣接する凸部を跨がるようにして前記凸部上に前記ベース部を設置し、前記ベース部を固定部によって前記フレーム部材に接合した後、前記支持部材に前記設置物を固定する屋根上における設置物の取付け方法。
【発明の詳細な説明】
【技術分野】
【０００１】
本発明は、屋根上における設置物の取付け構造、設置物付き屋根および屋根上における設置物の取付け方法に関する。
【背景技術】
【０００２】
従来から、例えば下記特許文献１に記載されているような、躯体に固定されるタイトフレームおよび前記タイトフレームを覆う屋根板を備える屋根が知られている。
【先行技術文献】
【特許文献】
【０００３】
【特許文献１】特許第４７８５４９５号公報
【発明の概要】
【発明が解決しようとする課題】
【０００４】
ところで、前記従来の屋根では、ソーラーパネルなどの設置物を屋根上に強固に取り付けることについて要望がある。
【０００５】
本発明は、前述した事情に鑑みてなされたものであって、屋根上に設置物を強固に取り付けることを目的とする。
【課題を解決するための手段】
【０００６】
前記課題を解決するために、本発明は以下の手段を提案している。
本発明に係る設置物の取付け構造は、躯体に固定されるフレーム部材および前記フレーム部材を覆う屋根板を備える屋根上に設置物を取り付ける構造であって、前記屋根板上に載置され、前記設置物を支持する支持部材と、前記支持部材を、前記屋根板よりも強度が高く設定された前記フレーム部材に固定する固定部と、を備え、前記フレーム部材は、前記躯体を構成する梁が連続する方向に沿って、上方に突出して前記屋根板を支持する凸部と下方に凹む凹部とが交互に形成され、前記支持部材は、上下方向に延びる筒状部と前記筒状部の上部を閉塞する閉塞板部とを有する支柱部と、前記筒状部の下端部から外周側にフランジ状に張り出したベース部と、前記閉塞板部に形成され上方に向かって突出する設置物固定部と、を備え、前記ベース部が前記フレーム部材の隣接する凸部を跨がるように設置されて、前記固定部によって前記凸部上において前記フレーム部材に接合する。
【０００７】
この場合、支持部材は、固定部によって屋根板を貫通してフレーム部材に接合されるので、設置物から支持部材に加えられた外力を、屋根板を介さずに、屋根板よりも強度が高いフレーム部材を介して躯体に伝達することができる。したがって、屋根上に設置物を強固に取り付けることができる。
【０００８】
また、前記固定部は、前記屋根板に挿通されて前記支持部材と前記フレーム部材とを固定する挿通部材、または前記屋根板を介して前記支持部材と前記フレーム部材とを一体に溶接した溶接部であるようにしてもよい。
【０００９】
この場合、挿通部材または溶接部により、屋根板を貫通して支持部材とフレーム部材とを強固に接合することができる。
【００１０】
また、前記固定部は、前記挿通部材であり、前記挿通部材は、前記屋根板に外部から挿通されるようにしてもよい。
【００１１】
この場合、挿通部材が屋根板に外部から挿通されるので、屋根板の設置後に支持部材を外部から固定することが可能になり、施工性を向上させることができる。
【００１２】
また、前記屋根板は、上面が平坦面状に形成されているようにしてもよい。
【００１３】
この場合、屋根板の上面が平坦面状に形成されているので、例えば屋根板が凹凸形状に形成されている場合に比べて、支持部材の設置位置に多様性を具備させることができる。
【００１４】
また、前記フレーム部材は、前記躯体を構成する梁が連続する方向に沿って、上方に突出して前記屋根板を支持する凸部と下方に凹む凹部とが交互に形成されてなり、前記支持部材は、前記固定部により前記凸部上に固定されているようにしてもよい。
【００１５】
この場合、支持部材は、屋根板を介して支持部材の凸部上に支持される。つまり、支持部材を介してフレーム部材に伝達される設置物の荷重や外力は、凸部に集中して躯体へと伝達される。
【００１６】
また、前記支持部材は、前記梁が連続する方向に沿って互いに隣接する複数の凸部に跨がるように設置されているようにしてもよい。
【００１７】
この場合、支持部材を通してフレーム部材に伝達される設置物の荷重や外力は、複数の凸部に分散する。これにより、一つの凸部で支持する荷重や外力が小さくて済む。
【００１８】
また、前記屋根板は、下方に向かって突出する補強リブを有し、前記補強リブは、前記フレーム部材の前記凹部の内方に収容され、かつ前記凹部の底部よりも上方に間隔を空けて形成されているようにしてもよい。
【００１９】
この場合、屋根板上に設けられた支持部材の荷重はフレーム部材の凸部に集中するため、屋根板の補強リブの部分が沈み込むことを抑制することができる。これにより、補強リブがフレーム部材の凹部に干渉するのを抑えることができる。
また、屋根板自体は、補強リブにより断面性能が向上することによって強度が高まる。これによって、支持部材によって支持される設置物の脚部のスパンを拡大することが可能となる。
【００２０】
また、前記屋根は、前記屋根板上に、断熱層および防水層のうちの少なくとも一方を有する保護層を備え、前記支持部材は、前記保護層に形成された貫通孔を通して上方に突出して設けられている。
【００２１】
この場合、屋根が十分な断熱性能や防水性能を得ることができる。また、支持部材は、保護層に取り込まれることによって、水平方向への変形等を拘束することができる。
【００２２】
また、本発明の設置物付き屋根は、躯体に固定されるフレーム部材および前記フレーム部材を覆う屋根板を備える屋根と、前記屋根上に取り付けられる設置物と、を備え、前記設置物が、上記したような取付け構造により取り付けられた前記支持部材上に支持されている。
【００２３】
この場合、支持部材は、固定部によって屋根板を貫通してフレーム部材に接合されるので、設置物から支持部材に加えられた外力を、屋根板を介さずに、屋根板よりも強度が高いフレーム部材を介して躯体に伝達することができる。したがって、屋根上に設置物を強固に取り付けることができる。
【００２４】
また、本発明は、躯体に固定されるフレーム部材および前記フレーム部材を覆う屋根板を備える屋根上に設置物を取り付ける方法であって、上下方向に延びる筒状部と前記筒状部の上部を閉塞する閉塞板部とを有する支柱部と、前記筒状部の下端部から外周側にフランジ状に張り出したベース部と、前記閉塞板部に形成され上方に向かって突出する設置物固定部と、を有し前記設置物を支持する支持部材を、前記屋根板よりも強度が高く設定され前記躯体を構成する梁が連続する方向に沿って、上方に突出して前記屋根板を支持する凸部と下方に凹む凹部とが交互に形成された前記フレーム部材の隣接する凸部を跨がるようにして前記凸部上に前記ベース部を設置し、前記ベース部を固定部によって前記フレーム部材に接合した後、前記支持部材に前記設置物を固定する。
【００２５】
この場合、支持部材は、固定部によって屋根板を貫通してフレーム部材に接合されるので、設置物から支持部材に加えられた外力を、屋根板を介さずに、屋根板よりも強度が高いフレーム部材を介して躯体に伝達することができる。したがって、屋根上に設置物を強固に取り付けることができる。
【発明の効果】
【００２６】
本発明によれば、屋根上に設置物を強固に取り付けることができる。
【図面の簡単な説明】
【００２７】
【図１】本発明の一実施形態に係る屋根上における設置物の取付け構造を適用した屋根の構造を示す斜視断面図である。
【図２】図１に示す設置物の取付け構造を示す図であって、屋根を梁の軸線（梁が連続する方向）に沿って断面視した図である。
【図３】図１に示す設置物の取付け構造を示す図であって、屋根を梁の軸線（梁が連続する方向）に直交する方向から断面視した図である。
【図４】図１に示す設置物の取付け構造を示す図であって、断熱材および防水材を施工する前段で、屋根板上に支持部材を装着した状態の屋根を平面視した図である。
【図５】図１に示す設置物の取付け構造の変形例を示す断面図である。
【図６】図１に示す設置物の取付け構造を適用する屋根板の変形例を示す断面図である。
【図７】図１に示す設置物の取付け構造を適用する屋根板のさらに他の変形例を示す断面図である。
【発明を実施するための形態】
【００２８】
以下、図面を参照し、本発明の一実施形態に係る屋根上における設置物の取付け構造、設置物付き屋根および屋根上における設置物の取付け方法を説明する。
図１は、本発明の一実施形態に係る屋根上における設置物の取付け構造を適用した屋根の構造を示す斜視断面図である。図２は、図１に示す設置物の取付け構造を示す図であって、屋根を梁の軸線（梁が連続する方向）に沿って断面視した図である。図３は、図１に示す設置物の取付け構造を示す図であって、屋根を梁の軸線（梁が連続する方向）に直交する方向から断面視した図である。図４は、図１に示す設置物の取付け構造を示す図であって、断熱材および防水材を施工する前段で、屋根板上に支持部材を装着した状態の屋根を平面視した図である。
図１に示すように、設置物１００は、各種建物１の屋根２（設置物付き屋根）上に、支持部材１０を介して設置されている。
【００２９】
図１〜図３に示すように、屋根２は、建物１の躯体１Ｋを構成する梁３上に設けられ、タイトフレーム４（フレーム部材）と、屋根板５と、断熱材６（断熱層）と、防水材７（防水層）と、を備えている。
【００３０】
タイトフレーム４は、梁３が延びる方向に沿って連続する鋼材からなり、梁３の上面３ｆに沿う下部平面部４ａと、下部平面部４ａの両端部からそれぞれ斜め上方に延びる傾斜面部４ｂと、傾斜面部４ｂの上端部から梁３の上面３ｆに平行に沿って延びる上部平面部４ｃと、を有している。図２に示すように、このようなタイトフレーム４には、下部平面部４ａとその両側の傾斜面部４ｂ，４ｂとにより、下方に向かって凹となる谷部４Ｔ（凹部）が形成され、上部平面部４ｃとその両側の傾斜面部４ｂ、４ｂとにより上方に向かって凸となる山部４Ｙ（凸部）が形成されている。これら谷部４Ｔと山部４Ｙは、タイトフレーム４が連続する方向に沿って交互に形成されている。タイトフレーム４は、下部平面部４ａを例えば溶接やビス、発射鋲等の接合手段により梁３に接合することで、躯体１Ｋに固定することができる。
このタイトフレーム４は、屋根板５よりも肉厚が大きく、屋根板５よりも強度（鉛直方向および水平方向の荷重に対する強度）が高く設定されている。
【００３１】
屋根板５は、金属材料、樹脂材料、木質系材料、モルタル質系材料等からなり、タイトフレーム４を構成する鋼材よりも上下方向の厚さが小さい板状材を折り曲げ加工（ロール加工）することで形成されている。図２に示すように、屋根板５は、平面部５ａと、平面部５ａの両端部５ｅからそれぞれ直交して下方に向かって延出する垂下壁部５ｂと、垂下壁部５ｂの下端から直交して平面部５ａの下方で平面部５ａに平行に延出する下部平行部５ｃと、下部平行部５ｃの先端から１８０°折り返して下部平行部５ｃの下面に沿って延びる底面部５ｄと、を有している。
平面部５ａは、梁３が延びる方向に沿って一定の幅寸法を有し、梁３が延びる方向に直交する方向に連続する、平面視細長形状をなしている。梁３が延びる方向において互いに隣接する平面部５ａ、５ａの端部５ｅ、５ｅ同士は互いに突き当たっている。これにともなって、互いに隣接する一方の平面部５ａの端部５ｅから垂下する垂下壁部５ｂと、他方の平面部５ａの端部５ｅから垂下する垂下壁部５ｂとは、互いに重ね合わさっている。さらに、互いに重ね合わさる垂下壁部５ｂ、５ｂの下端から延出する下部平行部５ｃ、５ｃは、これらの下方に位置する底面部５ｄを介して互いに連結されている。このようにして、互いに隣接する平面部５ａ、５ａ同士の連結部分には、断面視略Ｉ型の補強リブ５Ｒが形成されている。
【００３２】
このような屋根板５では、各平面部５ａが、タイトフレーム４の上部平面部４ｃに、ビス、発射鋲等の接合部材８により接合されている。また、屋根板５の各補強リブ５Ｒは、屋根板５の各谷部４Ｔ内に挿入配置されている。各谷部４Ｔ内において、補強リブ５Ｒの最下端に位置する底面部５ｄは、谷部４Ｔの底部を形成するタイトフレーム４の下部平面部４ａの上方に、隙間Ｓを隔てて位置するよう設けられている。これにより、例えば、タイトフレーム４の下部平面部４ａを梁にビスや発射鋲などで固定する場合であっても、その固定手段の頭部（下部平面部４ａよりも上方に張り出す部分）と補強リブ５Ｒとの干渉を防止することができる。
【００３３】
図１に示すように、断熱材６は、断熱性能を有した周知の各種断熱材料が所定厚さの板状、シート状とされたもので、屋根板５の平面部５ａ、５ａ、…上に敷設されている。
防水材７は、例えば塩化ビニル樹脂等、防水性能を有した軟質樹脂系材料、ゴム系材料等からなるシート状で、断熱材６上に敷設されている。これらの断熱材６および防水材７は、屋根板５上の保護層を構成する。
【００３４】
ここで屋根板５に対する防水加工には、周知の防水工法を適宜適用することが可能である。例えば、前述のようなシート状の防水材７を用いるシート防水工法の他にも、アスファルトにより防水層を形成するアスファルト防水工法、防水層としての塗膜を形成する塗膜防水工法、ステンレスシート（ステンレス板）を防水層として用いるステンレス防水工法などを採用することができる。
【００３５】
図２、図３に示すように、支持部材１０は、支柱部１１と、ベース部１２と、設置物固定部１３と、を備えている。
支柱部１１は、鋼板等からなり、例えば断面視円形で上下方向に延びる筒状部１１ａと、筒状部１１ａの上部を閉塞する閉塞板部１１ｂと、を一体に備えている。
【００３６】
ベース部１２は、筒状部１１ａの下端部から外周側にフランジ状に張り出す円板状で、その中央部に開口部１２ｋが形成されている。ベース部１２の内周部は、筒状部１１ａの下端部に溶接等により一体に接合されている。図４に示すように、ベース部１２における、筒状部１１ａよりも外周側に、周方向に間隔を空けた複数箇所に挿通孔１２ｈが形成されている。図２に示すように、この実施形態において、ベース部１２は、タイトフレーム４において梁３の軸方向に沿って互いに隣接する二つの山部４Ｙ、４Ｙに跨がる。さらに、図４に示すように、ベース部１２に形成された挿通孔１２ｈは、周方向において互いに対向する位置に、それぞれ２つずつ形成されている。
【００３７】
図２、図３に示すように、設置物固定部１３は、例えばボルト１４からなり、支柱部１１の閉塞板部１１ｂに形成された貫通孔１１ｈに下方から挿通されて、頭部１４ｈが閉塞板部１１ｂに下方から突き当たることで、雄ネジ部１４ｎが閉塞板部１１ｂから上方に向かって突出するよう設けられている。
【００３８】
図２に示すように、このような支持部材１０は、ベース部１２が屋根板５の平面部５ａ上に載置されている。ここで、ベース部１２は、梁３の軸方向に沿って互いに隣接する二つの山部４Ｙ、４Ｙの上方位置において、屋根板５をタイトフレーム４に接合する接合部材８の頭部８ｔ上に載置されている。ベース部１２は、それぞれの挿通孔１２ｈに挿通させたビス、発射鋲等のピン状をなした挿通部材１５（固定部）を、屋根板５の平面部５ａ、および屋根板５の下方に位置するタイトフレーム４の上部平面部４ｃに挿通させることによって、タイトフレーム４において互いに隣接する二つの山部４Ｙ、４Ｙに接合されている。
【００３９】
ベース部１２が屋根板５を介してタイトフレーム４に接合・固定された状態で、支持部材１０の支柱部１１は、断熱材６および防水材７（保護層）に形成された貫通孔６ｈ、７ｈに挿通され、上方に向かって突出するよう設けられている。
【００４０】
このような支持部材１０は、屋根２を施工する際に、梁３上にタイトフレーム４を取り付け、タイトフレーム４上に屋根板５を敷設した後に設置する。ここで、屋根板５は、タイトフレーム４の上部平面部４ｃ上に平面部５ａを載せた状態で、ビス、発射鋲等の接合部材８を上部平面部４ｃに貫通させることで固定する。
【００４１】
支持部材１０を設置するには、まず、ベース部１２を、屋根板５の平面部５ａ上に載置する。このとき、ベース部１２は、屋根板５をタイトフレーム４に接合する接合部材８の頭部８ｔを目印として位置決めすることができる。
次いで、ベース部１２の挿通孔１２ｈに挿通させたビス、発射鋲等の挿通部材１５を、屋根板５の平面部５ａ、およびタイトフレーム４の上部平面部４ｃに挿通させる。これによって、ベース部１２は、屋根板５を介し、タイトフレーム４において互いに隣接する二つの山部４Ｙ、４Ｙに接合される。なお、挿通部材１５としてビスを用いる場合には、予め挿通孔が形成されていない屋根板５およびタイトフレーム４に、ねじ切りしながら挿通させることができる。
【００４２】
この後、断熱材６および防水材７を、支持部材１０の支柱部１１が貫通孔６ｈ、７ｈを通して上方に突出するように敷設する。これにより、屋根２の施工が完了する。
【００４３】
このようにして屋根板５上に固定された複数の支持部材１０上に、ソーラーパネル等の設置物１００が設置される。それぞれの支持部材１０の支柱部１１の閉塞板部１１ｂ上には、設置物１００の脚部１０１が、貫通孔１０１ｈに設置物固定部１３を挿通させた状態で載置される。脚部１０１の貫通孔１０１ｈに挿通させた設置物固定部１３の雄ネジ部１４ｎに、ナット１６等を締結することで、設置物１００の脚部１０１は、支持部材１０上に固定される。
【００４４】
以上説明したように、本実施形態に係る屋根上における設置物の取付け構造、設置物付き屋根および屋根上における設置物の取付け方法によれば、支持部材１０は、挿通部材１５によって屋根板５を貫通し、屋根板５よりも強度が高く設定されたタイトフレーム４に接合される。これにより、設置物１００から支持部材１０に加えられた外力を、屋根板５を介さずに、屋根板５よりも強度が高いタイトフレーム４を介して躯体１Ｋに伝達することができる。このように、軽量化のために肉厚が薄く設定される屋根板５に対し、より強固なタイトフレーム４に支持部材１０を固定することで、上下方向の力に限らず、水平方向の力に対しても、屋根２上に設置物１００を強固に取り付けることができる。
【００４５】
また、挿通部材１５はボルトであり、屋根板５を貫通して支持部材１０とタイトフレーム４とを接合することができる。
さらに、この挿通部材１５は、屋根板５に外部から挿通することによって、屋根板５の設置後に支持部材１０を外部から固定することが可能になり、施工性を向上させることができる。
【００４６】
また、屋根板５の上面が平坦面状に形成されているので、例えば屋根板５が凹凸形状に形成されている場合に比べて、支持部材１０の設置位置に制限を受けにくく、支持部材１０の設置位置、すなわち設置物１００の設置位置の自由度を高めることができる。また、支持部材１０、断熱材６、防水材７、設置物１００等を設置施工する際に、作業者が容易かつ安定して歩行することができ、施工性に優れる。また、屋根板５の上面が平坦面状であれば、施工時に、作業者が不用意につまずいて屋根板５を踏み抜いたり、重量物である設置物１００を落下させて屋根板５を破損してしまうのを防ぐことができる。
さらに、屋根板５の上面が平坦面状であれば、屋根板５と断熱材６とを全面的に接着することができ、断熱材６を強固に設置することができる。
【００４７】
タイトフレーム４は、躯体１Ｋを構成する梁３が連続する方向に沿って、上方に突出して屋根板５を支持する山部４Ｙと下方に凹む谷部４Ｔとが交互に形成され、支持部材１０は、挿通部材１５により山部４Ｙ上に固定されている。これにより、支持部材１０は、屋根板５を介して支持部材１０の山部４Ｙ上に支持される。つまり、支持部材１０を介してタイトフレーム４に伝達される設置物１００の荷重や外力は、山部４Ｙに集中して躯体１Ｋへと伝達される。
さらに、支持部材１０は、梁３が連続する方向に沿って互いに隣接する複数の山部４Ｙに跨がるように設置されている。これにより、支持部材１０を通してタイトフレーム４に伝達される設置物１００の荷重や外力は、複数の山部４Ｙに分散し、一つの山部４Ｙで支持する荷重や外力が小さくて済む。したがって、より大きな荷重の設置物１００を支持部材１０で支持することが可能となる。
【００４８】
加えて、屋根板５は、下方に向かって突出する補強リブ５Ｒを有し、補強リブ５Ｒは、タイトフレーム４の谷部４Ｔの内方に収容され、かつ谷部４Ｔの底部を形成する下部平面部４ａよりも上方に隙間Ｓを有して形成されている。このような構成において、屋根板５上に設けられた支持部材１０の荷重はタイトフレーム４の山部４Ｙに集中するため、屋根板５の補強リブ５Ｒの部分が沈み込むことがない。これにより、補強リブ５Ｒがタイトフレーム４の谷部４Ｔに干渉するのを抑えることができる。
【００４９】
また、屋根板５自体は、補強リブ５Ｒにより断面性能が向上することによって強度が高まる。これにより、設置物１００の荷重が作用した際に、屋根板５や支持部材１０のベース部１２等が変形するのを抑えることができる。さらに、支持部材１０の支持面である屋根板５が強固であることによって、ベース部１２の全体に均一に荷重が作用し、支持部材１０で支持することのできる支持荷重が増大する。また、支持部材１０によって支持される設置物１００の脚部１０１のスパンを拡大することが可能となる。
【００５０】
さらに、屋根２は、屋根板５上に断熱材６および防水材７を備え、支持部材１０は、断熱材６および防水材７に形成された貫通孔６ｈ、７ｈを通して上方に突出して設けられている。これにより、屋根２が十分な断熱性能及び防水性能を得ることができる。また、支持部材１０は、断熱材６および防水材７に取り囲まれることによって、水平方向への変形等を拘束することができる。
【００５１】
なお、本発明の技術的範囲は前記実施形態に限定されるものではなく、本発明の趣旨を逸脱しない範囲において種々の変更を加えることが可能である。
例えば、タイトフレーム４に山部４Ｙと谷部４Ｔとを交互に設けるようにしたが、山部４Ｙや谷部４Ｔにおける梁３の軸方向に沿った幅寸法や、形状等は、適宜変更しても良い。また、フレーム部材として、タイトフレーム４に代えて、例えば断面Ｃ型、Ｉ型等のチャンネル材や、その他の部材を適宜設けてもよい。さらに、フレーム部材は、梁３に沿って連続するのではなく、梁３上に、支持部材１０を設ける部位のみに間欠的に設けてもよい。
【００５２】
また、挿通部材１５に代えて、屋根板５を介して支持部材１０とタイトフレーム４とを一体に溶接した溶接部を形成してもよい。
【００５３】
また、支持部材１０のベース部１２は、屋根板５をタイトフレーム４に接合する接合部材８の頭部８ｔ上に載置されているが、これに限らない。
図５は、図１に示す設置物の取付け構造の変形例を示す断面図である。
図５に示すように、頭部８ｔをフラット形状なものとする等して、屋根板５上からの突出寸法を抑えるようにして、ベース部１２との干渉を抑えるようにしてもよい。
【００５４】
また、屋根板５をタイトフレーム４に接合する接合部材８と、支持部材１０のベース部１２をタイトフレーム４に接合する挿通部材１５とを別々に備えるようにしているが、支持部材１０のベース部１２をタイトフレーム４に接合する挿通部材１５により、屋根板５をタイトフレーム４に接合するようにしてもよい。ただし、屋根板５をタイトフレーム４に接合する接合部材８と、支持部材１０のベース部１２をタイトフレーム４に接合する挿通部材１５とを別々にすることで、施工の際、支持部材１０の設置に先行して屋根板５をタイトフレーム４に固定することができ、施工性に優れる。
【００５５】
また、支持部材１０をタイトフレーム４に固定する位置は、上部平面部４ｃ上であればいかなる位置であってもよい。例えば、ベース部１２の大きさによっては、一つの山部４Ｙ上のみに支持部材１０を固定してもよいし、３以上の山部４Ｙに跨がるように支持部材１０を固定してもよい。
また、支持部材１０のベース部１２の少なくとも一部がタイトフレーム４上に支持および固定されていれば、他の部分は、例えば、タイトフレーム４から側方に張り出した屋根板５上などに位置していても良い。
【００５６】
さらに、支持部材１０のベース部１２は、タイトフレーム４のみならず、屋根板５の平面部５ａにおいて補強リブ５Ｒの上方部分にビス等によって固定することも可能である。屋根板５は、補強リブ５Ｒによって補強されているため、支持部材１０の荷重の一部を負担することもできる。
【００５７】
さらに、タイトフレーム４上に固定された支持部材１０に加えて、設置物１００を補助的に支持するため、支持部材１０と同様の支柱部材を、タイトフレーム４上以外の屋根板５上や、互いに隣接する梁３、３の中間部等に設置してもよい。この場合、屋根板５は、上面が平坦面状であるため、補助的に設ける支柱部材を屋根板５上に高い自由度で設置することができる。また、このように支持部材１０をタイトフレーム４上以外の位置に設置した場合であっても、屋根板５に補強リブ５Ｒが設けられているので、支持部材１０の自重による屋根板５の下方への変形等を抑えることができる。
【００５８】
また、支持部材１０の各部の構成、例えば支柱部１１の断面形状、ベース部１２の平面形状等は、円形に限らず、正方形状、長方形状、多角形状等、他のいかなるものであってもよい。
【００５９】
さらに、屋根板５の補強リブ５Ｒは、断面Ｉ型であるが、これに限らない。
図６は、図１に示す設置物の取付け構造を適用する屋根板の変形例を示す断面図である。図７は、図１に示す設置物の取付け構造を適用する屋根板のさらに他の変形例を示す断面図である。
例えば、図６に示すように、補強リブ５Ｒの下端部５ｘを断面視三角形の筒状に形成してもよい。また、図７に示すように、補強リブ５Ｒの下端部５ｙを、断面視矩形の筒状に形成してもよい。
【００６０】
また、屋根板５は、上記実施形態および変形例に示したものに限らない。例えば、山型の凹部と凸部とを交互に連続させた、いわゆる折板を屋根板５に用いることもできる。この場合、折板の凹部は、上記実施形態および変形例における補強リブ５Ｒと同様に機能し、屋根板５の断面性能を向上させて強度を高めることができる。
さらに、屋根板５に折板を用いる場合、下方に向かって凸となる凹部の部分は、上記実施形態における補強リブ５Ｒと同様、タイトフレーム４の谷部４Ｔの内方に収容される。このとき、折板の凹部は、谷部４Ｔの底部を形成する下部平面部４ａよりも上方に隙間Ｓを有するように設置してもよいし、下部平面部４ａに接して設けてもよい。
加えて、屋根板５に折板を用いる場合、折板の各凹部を塞ぐようにカバー材を設けることによって、屋根板５の上面を平坦面状に形成することもできる。
【００６１】
また、屋根板５上に、断熱材６および防水材７の両方が設けられているが、これに限らない。屋根板５上に、保護層として、断熱材６（断熱層）および防水材７（防水層）のうちの少なくとも一方を設けた他の形態に適宜変更することが可能である。断熱材６および防水材７のうち、少なくとも防水材７が設けられていることが好ましいが、断熱材６および防水材７の両方が設けられていない形態を採用することもできる。
【００６２】
また、支持部材１０で支持する設置物１００としては、ソーラーパネルに限らず、貯水タンク、空気調和システムの室外機、太陽熱集熱パネル、看板等であってもよい。
【００６３】
さらに、上記したような支持部材１０を用いて設置物１００を設置する建物１の躯体１Ｋは、鉄骨造の他、木造、鉄筋コンクリート造、鉄骨鉄筋コンクリート造等とすることもできる。
【００６４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６５】
１  建物
１Ｋ  躯体
２  屋根（設置物付き屋根）
３  梁
４  タイトフレーム（フレーム部材）
４Ｔ  谷部（凹部）
４Ｙ  山部（凸部）
５  屋根板
５Ｒ  補強リブ
６  断熱材（断熱層）
６ｈ  貫通孔
７  防水材（防水層）
１０  支持部材
１５  挿通部材（固定部）
１００  設置物
１０１  脚部
【図１】
0006533414.tif 000002
【図２】
0006533414.tif 000003
【図３】
0006533414.tif 000004
【図４】
0006533414.tif 000005
【図５】
0006533414.tif 000006
【図６】
0006533414.tif 000007
【図７】
0006533414.tif 000008